(57)【特許請求の範囲】
【請求項１】
野生動物用の固形塩を設置する野生動物用固形塩設置装置であって、
下側が地面に埋設された支柱と、前記支柱に取り付けられて前記固形塩を収容する一部が開放された収容容器とを備え、
前記収容容器は、その内部から水を抜く水抜き部が底板に形成され、
前記底板は、上方に向けて窪ませた窪み部が形成されること
を特徴とする野生動物用固形塩設置装置。
【請求項２】
野生動物用の固形塩を設置する野生動物用固形塩設置装置であって、
下側が地面に埋設された支柱と、前記支柱に取り付けられて前記固形塩を収容する一部が開放された収容容器とを備え、
前記収容容器は、その内部から水を抜く水抜き部が底板に形成され、
前記底板は、傾斜されて形成され、下端に前記水抜き部に形成されること
を特徴とする野生動物用固形塩設置装置。
【請求項３】
前記支柱に着脱可能に取り付けられて、前記収容容器に取り付けられる取付部材を備えること
を特徴とする請求項１又は２記載の野生動物用固形塩設置装置。
【請求項４】
前記取付部材に取り付けられる係止部材を備え、
前記係止部材は、前記収容容器を嵌め入れ可能に形成されて、
前記収容容器は、前記係止部材に係止されること
を特徴とする請求項３記載の野生動物用固形塩設置装置。
【請求項５】
前記取付部材に取り付けられる支持部材を備え、
前記支持部材は、前記収容容器に下側から接触させて支持可能とされていること
を特徴とする請求項３記載の野生動物用固形塩設置装置。
【発明の詳細な説明】
【技術分野】
【０００１】
本発明は、野生動物について、固形塩を任意の場所に設置し、固形塩の摂取を促す装置に関する。
【背景技術】
【０００２】
近年、日本において、狩猟人口の減少や高齢化に起因して、野生動物の個体数が急激に増加している。特に、シカ科、ウシ科、イノシシ科に属する野生動物の個体数増加は顕著であり、農業における農作物被害、林業における植林被害や樹皮剥ぎ被害、交通業における車両衝撃被害等、広範囲で人的被害が後を絶たない状況にある。
【０００３】
このような被害が発生するのは、野生動物の生息域に、人の産業活動が行われる敷地（以下、保護地という。）が存在し、この保護地内に野生動物が侵入することに起因する。保護地としては、例えば、田畑を有する敷地、林業に用いられる敷地、鉄道や道路等を有する敷地等である。
【０００４】
このような被害対策として、野生動物を保護地内に侵入するのを防止するために、例えば、特許文献１に草食動物侵入抑止柵が開示されている。
【０００５】
特許文献１に開示されている草食動物侵入抑止柵によれば、草食動物の侵入を抑止する機能を備えつつ、仮に草食動物が侵入した場合、緊急脱出が容易であり、かつ脱出時に柵が損傷しても路側に破損物が侵入することを効果的に防止することが可能となる。
【０００６】
しかしながら、このような従来の対策は、保護地と保護地域外との境界に設置されるため、その設置に時間が掛かるという問題点があった。
【０００７】
また、このような従来の対策がなされていた場合であっても、野生動物は、保護地内に侵入してくる場合がある。これは、野生動物の行動習性に起因している。以下には、野生動物として、反芻亜目に分類される、例えば、シカ科、ウシ科の野生動物（以下、対象動物という。）の行動習性を例示して説明する。
【０００８】
対象動物は、胃の中に共生させているバクテリア等の共生微生物を介して、草等から摂取されるセルロース等の食物繊維を分解して、発酵させている。対象動物は、食物繊維を分解して発酵させて生成された酢酸やプロピオン酸、酪酸等の低級脂肪酸を主とする有機物と、共生微生物とを吸収することによって、自らのエネルギー源としている。
【０００９】
また、対象動物は、胃の中で食物繊維を分解、発酵させることによって、胃の中の水素イオン濃度指数（ｐＨ）が低下した場合、共生微生物が活性化しにくくなる。このため、対象動物は、塩分や鉄分等のミネラル分を摂取することによって、共生微生物の活性化を促す。
【００１０】
このように共生微生物は、食物繊維を分解、発酵するのみならず、対象動物のエネルギー源となるため、対象動物にとって極めて重要な役割を担っている。このような共生微生物を胃の中に共生させる対象動物は、自らの生命維持に必要なものとして、草等の食物繊維を摂取するのみならず、ミネラル分を積極的に摂取しようとする。
【００１１】
しかしながら、対象動物は、自然環境において、草等から摂取されるセルロース等の食物繊維からミネラル分を十分に摂取することができず、また、土や樹皮等からこれらに含まれるミネラル分を摂取できるものの、その量は微量であるため、ミネラル分を十分に摂取することができない。
【００１２】
従って、対象動物は、ミネラル分が常に欠乏状態にあると考えられ、自らの生命維持に必要なものが保護地にある場合には、身体の安全を顧みず、保護地へ侵入してでも、食物繊維やミネラル分を摂取しようとする行動習性が見受けられる。
【００１３】
一方、対象動物の行動習性を利用して、野生動物用の固形塩を設置することによって、対象動物を保護地内に侵入するのを防止する対策も取られている。
【００１４】
この野生動物用の固形塩は、塩分や鉄分等のミネラル分が含まれている。野生動物用の固形塩は、対象動物がその生息域の外に出て栄養源を摂取することは稀であることから、対象動物の生息域内に設置されることが望ましい。対象動物の生息域内に設置された野生動物用の固形塩は、保護地外の地面に直接設置される。
【００１５】
野生動物用の固形塩は、対象動物に発見された場合には、ミネラル分を補給するために摂取し続けられる。その結果、対象動物を固形塩の周囲、即ち、保護地外に長時間（例えば、数時間程度）滞在させることが可能となる。
【００１６】
しかしながら、野生動物用の固形塩は、地面に直接設置されることによって、降雨や地面の水分を吸収することにより、融解してしまうという問題点があった。また、野生動物用の固形塩は、積雪や落ち葉等により、埋没してしまうという問題点があった。このように、野生動物用の固形塩は、屋外環境に晒され続けられるため、その設置位置を判別できなくなってしまうという問題点があった。
【００１７】
また、野生動物用の固形塩は、特段地面に固定されるものではないため、対象動物に摂取し続けられることによって、その位置が移動してしまい、設置位置を判別できなくなってしまうという問題点があった。
【００１８】
このように野生動物用の固形塩は、その設置位置を判別できなくなってしまった場合には、対象動物の生息域を対象動物のフンや食痕、ヒヅメの跡等の位置に基づいて探索して、再度保護地外に設置される。また、野生動物用の固形塩は、対象動物に摂取し続けられて小さくなった場合や摂取し尽くされた場合には、再度保護地外に設置される。
【００１９】
しかしながら、野生動物用の固形塩を再度保護地外に設置するためには、改めて対象動物のフンや食痕、ヒヅメの跡等の位置に基づいて生息域を探索する必要がある。このため、野生動物用固形塩は、設置位置を判別できなくなってしまった場合には、対象動物の生息域を発見するのに多大な労力を要し、その設置位置を改めて探す手間が生じてしまうという問題点があった。
【００２０】
また、野生動物用の固形塩は、地面に直接設置されることによって、対象動物以外の野生動物に尿等によりマーキングされた場合、対象動物を近づきにくくさせてしまうため、対象動物を固形塩の周囲に滞在させる効果を有意に発揮することができなくなるという問題点があった。
【００２１】
野生動物用の固形塩は、これを設置するものとして、樹脂等からなるザルやカゴが用いられる場合がある。
【００２２】
しかしながら、このようなザルやカゴは、地面に固定されていないため、当初の設置位置から移動してしまうという問題点があった。
【００２３】
従って、野生動物用の固形塩を設置する野生動物用固形塩設置装置として、屋外環境に設置された固形塩が自然環境の変化により埋没、融解しにくく、その設置位置を容易に判別できるものが求められている。
【先行技術文献】
【特許文献】
【００２４】
【特許文献１】特開２０１５−７７０７５号公報
【発明の概要】
【発明が解決しようとする課題】
【００２５】
そこで、本発明は、屋外環境に設置された野生動物用の固形塩を埋没、融解させにくくすることが可能となり、その設置位置を容易に判別することが可能となる野生動物用固形塩設置装置を提供することにある。
【課題を解決するための手段】
【００２６】
第１発明に係る野生動物用固形塩設置装置は、野生動物用の固形塩を設置するものであって、下側が地面に埋設された支柱と、前記支柱に取り付けられて前記固形塩を収容する一部が開放された収容容器とを備え、前記収容容器は、その内部から水を抜く水抜き部が底板に形成され、前記底板は、上方に向けて窪ませた窪み部が形成されることを特徴とする。
第２発明に係る野生動物用固形塩設置装置は、野生動物用の固形塩を設置するものであって、下側が地面に埋設された支柱と、前記支柱に取り付けられて前記固形塩を収容する一部が開放された収容容器とを備え、前記収容容器は、その内部から水を抜く水抜き部が底板に形成され、前記底板は、傾斜されて形成され、下端に前記水抜き部に形成されることを特徴とする。
【００２７】
第３発明に係る野生動物用固形塩設置装置は、第１発明又は第２発明において、前記支柱に着脱可能に取り付けられて、前記収容容器に取り付けられる取付部材を備えることを特徴とする。
【００２８】
第４発明に係る野生動物用固形塩設置装置は、第３発明において、前記取付部材に取り付けられる係止部材を備え、前記係止部材は、前記収容容器を嵌め入れ可能に形成されて、前記収容容器は、前記係止部材に係止されることを特徴とする。
【００２９】
第５発明に係る野生動物用固形塩設置装置は、第３発明において、前記取付部材に取り付けられる支持部材を備え、前記支持部材は、前記収容容器に下側から接触させて支持可能とされていることを特徴とする。
【発明の効果】
【００３０】
第１発明〜第５発明によれば、内部の水を抜く水抜き部が形成される収容容器を備えることによって、収容容器に収容された固形塩が雨水等により融解するのを抑制することが可能となる。
【００３１】
また、第１発明〜第５発明によれば、固形塩を収容する収容容器が支柱に取り付けられることによって、固形塩を収容容器に収容したとき、固形塩が積雪や落ち葉等により埋没するのを防止することが可能となり、その設置位置の認識が容易となる。また、第１発明〜第５発明によれば、対象動物ではない対象外動物が固形塩に容易に尿等によりマーキングするのを防止することが可能となり、対象動物が固形塩を摂取するのを促すことが可能となる。
【００３２】
また、第１発明〜第５発明によれば、下側が地面に埋設される支柱に、収容容器が取り付けられることによって、固形塩を対象動物が摂取したときに、固形塩が移動することがなく、その設置位置の認識が容易となる。
【００３３】
第３発明〜第５発明によれば、積雪や落ち葉等によって地面の高さが相対的に上昇したとき、その上昇した地面に合わせて、対象動物にとって固形塩を摂取しやすい最適な高さに再度設定することが可能となる。
【００３４】
第４発明によれば、動物等が接触したとき、収容容器が支柱から脱落するのを防止するとともに、収容容器が変形されるのを防止することが可能となる。
【００３５】
第５発明によれば、固形塩を収容容器に収容したとき、収容容器が支持部材に支持されることによって、収容容器が支柱から脱落するのを防止することが可能となる。
【図面の簡単な説明】
【００３６】
【図１】本発明の第１実施形態に係る野生動物用固形塩設置装置を示す図である。
【図２】本発明の第１実施形態に係る野生動物用固形塩設置装置を示す斜視図である。
【図３】本発明の第１実施形態に係る野生動物用固形塩設置装置のうち、収容容器を示す斜視図である。
【図４】（ａ）は、図３の平面図であり、（ｂ）は、図３の断面図である。
【図５】（ａ）は、本発明の第１実施形態に係る野生動物用固形塩設置装置のうち、一方の挟持部材と、係止部材とを示す平面図であり、（ｂ）は、その正面図である。
【図６】本発明の第１実施形態に係る野生動物用固形塩設置装置のうち、他方の挟持部材を示す斜視図である。
【図７】本発明の第１実施形態に係る野生動物用固形塩設置装置を示す平面図である。
【図８】図７の側面図である。
【図９】本発明の第１実施形態に係る野生動物用固形塩設置装置に設置された固形塩に対する対象動物と対象外動物の高さを示す図である。
【図１０】本発明の第１実施形態に係る野生動物用固形塩設置装置に設置された固形塩を対象動物が摂取する状態を示す図である。
【図１１】本発明の第１実施形態に係る野生動物用固形塩設置装置を示す図であり、特に、取付部材の代替例を示す図である。
【図１２】本発明の第１実施形態に係る野生動物用固形塩設置装置を示す図であり、特に、取付部材の他の代替例を示す図である。
【図１３】本発明の第２実施形態に係る野生動物用固形塩設置装置を示す斜視図である。
【図１４】本発明の第２実施形態に係る野生動物用固形塩設置装置を示す平面図である。
【図１５】本発明の第３実施形態に係る野生動物用固形塩設置装置を示す斜視図である。
【図１６】（ａ）は、本発明の第３実施形態に係る野生動物用固形塩設置装置のうち、挿通部材と、支持部材とを示す平面図であり、（ｂ）は、その側面図である。
【図１７】本発明の第３実施形態に係る野生動物用固形塩設置装置を示す側面図である。
【図１８】本発明の第４実施形態に係る野生動物用固形塩設置装置を示す正面図である。
【図１９】本発明の第５実施形態に係る野生動物用固形塩設置装置を示す側面図である。
【発明を実施するための形態】
【００３７】
以下、本発明を適用した野生動物用固形塩設置装置を実施するための形態について、図面を参照しながら詳細に説明する。
【００３８】
図１及び図２は、本発明の第１実施形態に係る野生動物用固形塩設置装置１を示す図である。
【００３９】
野生動物用固形塩設置装置１は、野生動物用の固形塩９を設置するために用いられる。設置装置１は、固形塩９を摂取する対象動物８の生息域内であって、人の産業活動が行われる敷地（以下、保護地という。）の外に局所的に設置される。保護地は、例えば、田畑を有する敷地、林業に用いられる敷地、鉄道や道路等を有する敷地等である。
【００４０】
対象動物８は、例えば、中型、大型の野生動物が想定されていて、例えば、シカ科では、特にシカ属のニホンジカに分類される、エゾシカ、ホンシュウジカ、キュウシュウジカ、マゲシカ、ヤクシカ、ケラマジカ、ツシマジカ等が該当する。対象動物８は、シカ科では、例えば、ホエジカ属に分類される、キョンが該当する。また、この対象動物８は、ウシ科では、特にカモシカ属に分類されるニホンカモシカ等やウシ属に分類される各種ウシ等が該当する。
【００４１】
固形塩９は、野生動物に用いられるものであって、塩分や鉄分等のミネラル分が含まれている。固形塩９は、直方体形状に形成されて、その重量は、例えば５ｋｇ程度で構成される。なお、固形塩９は、直方体形状のものとしたが、例えば、円柱状や、球状で構成されてもよく、その形状は如何なる形状で構成されるものであってもよい。また、固形塩９は、その重量についても特に限定されるものではない。
【００４２】
設置装置１は、支柱２と、支柱２に取り付けられて固形塩９を収容する一部が開放された収容容器３と、支柱２に着脱可能に取り付けられて、収容容器３に取り付けられる取付部材４と、取付部材４に取り付けられて、収容容器３を嵌め入れ可能に形成される係止部材４９とを備える。
【００４３】
支柱２は、上下方向に向けて延長されて、その下側が地面Ｇに埋設されている。支柱２は、鋼材で構成されて、円筒状に形成されている。なお、この支柱２は、その形状が円筒状に限定されず、如何なるものであってもよい。また、支柱２は、その材質が鋼材に限定されず、アルミニウム、真鍮等のようにあらゆる種類の金属や樹脂、木材などで構成されてもよい。
【００４４】
図３は、本発明の第１実施形態に係る設置装置１のうち、収容容器３を示す斜視図である。また、図４（ａ）は、図３の平面図であり、（ｂ）は、図３の断面図である。
【００４５】
収容容器３は、樹脂で構成される。収容容器３は、上方に向かうにつれて互いに拡がるようにして傾斜して形成された２枚の底板３１と、２枚の底板３１を互いに連結する２枚の側板３２、３３とを有する。この収容容器３は、上部が開放されているものとなる。なお、収容容器３は、樹脂で構成されるものを例示したが、その材質は如何なる材質のものが用いられてもよい。
【００４６】
収容容器３は、その内部から水を抜く水抜き部Ｗが形成されている。この水抜き部Ｗは、２枚の底板３１を互いに間隔を空けることによってスリット３１ａと、底板３１に形成される水抜き孔３１０、３１２ａと、側板３２、３３の下端がそれぞれ矩形状に切り欠かれた切欠部３２１、３３１とで構成される。
【００４７】
各底板３１は、その下端に水平方向に向けて延長された下端部３１２を有する。各底板３１は、図４（ａ）及び（ｂ）に示すように、傾斜部分にそれぞれ２か所に水抜き孔３１０が形成され、また、下端部３１２にそれぞれ２か所に水抜き孔３１２ａが形成される。なお、水抜き孔３１０、３１２ａは、円形状に形成されるものとするが、その形状は矩形状や角形状で構成されるものであってもよい。また、水抜き孔３１０、３１２ａは、その数量について特に限定されるものではない。
【００４８】
底板３１は、平面視で矩形状に形成される。底板３１は、スリット３１ａの延長方向の両端に２枚の側板３２、３３が設けられている。
【００４９】
底板３１は、図４（ｂ）に示すように、傾斜部分の中央付近に、底板３１の下面から上面に向けて窪ませた窪み部３１１が形成される。この窪み部３１１は、図４（ａ）に示すように、一方の側板３２から他方の側板３３に向けて延長される。
【００５０】
２つの側板３２、３３は、図３に示すように、それぞれ底板３１から鉛直上方に向けて延長されている。
【００５１】
一方の側板３２は、図４（ｂ）に示すように、円形状の孔３２０が４か所に形成される。一方の側板３２は、その上辺が水平方向に向けて延長されている。また、一方の側板３２は、その下辺が底板３１の形状に沿って形成されて底板３１と一体成形されている。一方の側板３２は、その下端に矩形状に切り欠かれた切欠部３２１が形成される。なお、孔３２０は、形状について特に限定されず、また、その数量は、如何なる数量であってもよい。
【００５２】
他方の側板３３は、図３に示すように、その上辺が水平方向に向けて延長されて中央付近が半円形状に切り欠かれている。また、他方の側板３３は、その下辺が底板３１の形状に沿って形成されて底板３１と一体成形されている。他方の側板３３は、その下端に矩形状に切り欠かれた切欠部３３１が形成される。
【００５３】
取付部材４は、図２に示すように、支柱２を挟持する２つの挟持部材４１、４２と、２つの挟持部材４１、４２をボルト５１及びナット５２により締結する締結部材５と、締結部材５と収容容器３との間に介装される添接板６とで構成される。
【００５４】
２つの挟持部材４１、４２は、その材質が鋼材で構成されるものとするが、その材質について特に限定されず、アルミニウム、真鍮等のようにあらゆる種類の金属や樹脂等で構成されてよい。
【００５５】
図５は、本発明の第１実施形態に係る設置装置１の一方の挟持部材４１と係止部材４９とを示し、（ａ）は、その平面図を示し、（ｂ）は、その正面図を示す。
【００５６】
一方の挟持部材４１は、図５（ａ）及び（ｂ）に示すように、１枚の鋼板からなり、断面形状が円形状の孔４１０が４か所に形成されるとともに、面内方向が鉛直方向に向けて延長された長方形状の取付部４１１と、取付部４１１の両側端から取付部４１１に対して直交方向に向けてそれぞれ折り曲げられて形成された２つの側部４１２とを有する。即ち、一方の挟持部材４１は、平面視での形状がいわゆるコの字状に形成される。
【００５７】
取付部４１１は、平面視で中央付近に、取付部４１１の面外方向に向けて、即ち、取付部４１１の外側から内側に向けて窪ませた当接部４１３が形成される。この当接部４１３は、図５（ｂ）に示すように、上下方向に延長されて面状に形成される。また取付部４１１は、長手方向が水平方向に向けて延長されて形成される。
【００５８】
側部４１２は、図５（ａ）に示すように、取付部４１１側の端部とは反対側の端部から側部４１２に対して直交方向に向けて折り曲げられた受け部４１４が形成される。
【００５９】
図６は、本発明の第１実施形態に係る設置装置１の他方の挟持部材４２を示す斜視図である。
【００６０】
他方の挟持部材４２は、１枚の鋼板からなり、断面形状が円形状の孔４２０が４か所に形成されるとともに、面内方向が鉛直方向に向けて延長された長方形状の対向部４２１と、対向部４２１の上端から対向部４２１に対して直交方向に向けて折り曲げられて形成された上部４２２と、対向部４２１の下端から対向部４２１に対して直交方向に向けて折り曲げられて形成された下部４２３と、を有する。この対向部４２１は、長手方向が水平方向に向けて延長されている。他方の挟持部材４２は、対向部４２１の長手方向に沿った鉛直断面形状がいわゆるコの字状に形成される。
【００６１】
上部４２２は、面内方向が水平方向に向けて延長されており、平面視で長方形状に形成される。上部４２２は、長手方向の中央付近に、平面視でＵ字状に切り欠かれた切欠部４２２ａが形成される。
【００６２】
下部４２３は、面内方向が水平方向に向けて延長されており、平面視で長方形状に形成される。下部４２３は、長手方向の中央付近に、平面視でＵ字状に切り欠かれた切欠部４２３ａが形成される。
【００６３】
添接板６は、図２に示すように、面内方向が鉛直方向に向けて延長された長方形状の鋼板で構成される。添接板６は、円形状の孔６１が４か所に形成される。なお、添接板６は、その材質が鋼材で構成されるものとするが、その材質について特に限定されず、アルミニウム、真鍮等のようにあらゆる種類の金属や樹脂等で構成されてもよい。また、孔６１は、円形状に形成されるものとするが、その形状は矩形状や角形状で構成されるものであってもよい。また、孔６１は、その数量について特に限定されるものではない。
【００６４】
係止部材４９は、図５（ａ）に示すように、断面形状が円形状からなる鋼棒で構成される。なお、係止部材４９は、その材質が限定されるものではなく、如何なる材質のものであってもよい。また、係止部材４９は、その断面形状が円形状に限定されず、例えば、矩形状や角形状で構成されるものであってもよい。
【００６５】
係止部材４９は、平面視でコの字状に折り曲げられて形成される。即ち、係止部材４９は、２つの側部４１２にそれぞれ溶接により取り付けられて、平面視で側部４１２の延長方向と略平行に向けて延長される２つの底板係止部４９ａと、２つの底板係止部４９ａを互いに連結する側板係止部４９ｂとを有する。
【００６６】
なお、図示は省略するが、本発明では、側板係止部は、２つの底板係止部を互いに連結するものでなく、２つの底板係止部の端部からそれぞれ折り曲げられて２つの側板係止部が形成されるものであってもよい。かかる場合には、即ち、２つの側板係止部が互いに離間された状態とされている。かかる場合においても、例えば、動物等が接触したとき、側板係止部が側板を係止するため、収容容器が底板係止部の延長方向に向けて脱落するのを防止するとともに、収容容器が変形するのを防止することが可能となる。
【００６７】
図７は、本発明の第１実施形態に係る設置装置１の収容容器３が取付部材４を介して支柱２に取り付けられた状態を示す平面図であり、図８は、その側面図である。
【００６８】
設置装置１は、一方の挟持部材４１の取付部４１１と、他方の挟持部材４２の対向部４２１と、を互いに対向させて支柱２に取り付けられる。このとき、設置装置１は、一方の挟持部材４１の当接部４１３と、他方の挟持部材４２の切欠部４２２ａ、４２３ａとが支柱２に当接されるとともに、取付部４１１の各孔４１０と、対向部４２１の各孔４２０とがそれぞれ位置合わせされている。
【００６９】
また、設置装置１は、一方の挟持部材４１の取付部４１１と収容容器３の側板３２とが当接されるとともに、取付部４１１の各孔４１０と、側板３２の各孔３２０とがそれぞれ位置合わせされている。
【００７０】
設置装置１は、このように互いに位置合わせされた、取付部４１１の各孔４１０、対向部４２１の各孔４２０及び側板３２の各孔３２０に、ボルト５１の軸をそれぞれ挿通させて、ボルト５１の軸先端に、ナット５２を螺着させる。なお、設置装置１は、ボルト５１の頭と側板３２との間に添接板６が介装されて、添接板６の各孔６１と側板３２の各孔３２０とがそれぞれ位置合わせされている。この添接板６を介装させることによって、ボルト５１を締結したとき、ボルト５１の頭から側板３２との間に作用する力を分散させて、側板３２に伝達することが可能となる。なお、この添接板６の構成は、省略されてもよい。
【００７１】
設置装置１は、上述したようなボルト５１とナット５２とを締結したとき、支柱２が一方の挟持部材４１の当接部４１３及び他方の挟持部材４２の切欠部４２２ａ、４２３ａとに挟持されて、支柱２に対して押圧力が作用することによって、取付部材４が支柱２に取り付けられるものとなる。このとき、設置装置１は、収容容器３が一方の挟持部材４１にボルト５１を介して取り付けられているため、収容容器３が取付部材４を介して支柱２に取り付けられるものとなる。
【００７２】
また、設置装置１は、ボルト５１とナット５２とを締結したとき、側部４１２の受け部４１４が、対向部４２１に当接されていることによって、対向部４２１から側部４１２に作用する力を分散させて、側部４１２に伝達することが可能となる。
【００７３】
設置装置１は、収容容器３が、収容容器３を嵌め入れ可能に形成される係止部材４９に係止されており、係止部材４９の側板係止部４９ｂが、側板３３に当接されている。
【００７４】
また、設置装置１は、図８に示すように、一方の側板３２から他方の側板３３に向けて延長された窪み部３１１が、係止部材４９の底板係止部４９ａに線接触された状態で係止されている。
【００７５】
なお、設置装置１は、窪み部３１１が係止部材４９の底板係止部４９ａに線接触されていることが望ましいが、窪み部３１１が係止部材４９からわずかに上方に離間されていてもよい。また、本発明では、窪み部３１１と側板３３とが、それぞれ係止部材４９にわずかに離間されていてもよい。このように、本発明では、収容容器が係止部材に嵌め入れられているとは、収容容器と、係止部材とが当接されている状態のみならず、収容容器と、係止部材とがわずかに離間されている状態も含むものとする。このような場合であっても、収容容器に鉛直方向、又は水平方向から荷重が作用したとき、収容容器を係止部材によって係止することが可能となるからである。
【００７６】
次に本発明の第１実施形態に係る設置装置１の作用効果について説明する。
【００７７】
本発明を適用した設置装置１は、図１及び図２に示すように、固形塩９を収容する収容容器３が、支柱２に取り付けられることによって、固形塩９を収容容器３に収容したとき、固形塩９が積雪や落ち葉等により埋没するのを防止することが可能となり、その設置位置の認識が容易となる。
【００７８】
設置装置１は、支柱２の下側が地面Ｇに埋設されることによって、固形塩９を対象動物８が摂取したとき、その位置が変わることなく、収容容器３に固形塩９を収容することが可能となり、その設置位置を容易に判別することが可能となる。
【００７９】
設置装置１は、収容容器３の一部が開放されているため、対象動物８が固形塩９を容易に摂取することが可能となる。設置装置１は、収容容器３の上部が開放されることによって、固形塩９を上方から容易に収容容器３に設置することが可能となる。設置装置１は、収容容器３に収容された固形塩９を対象動物８が摂取したとき、固形塩９が２枚の底板３１と、２枚の側板３２、３３とに係止されることによって、固形塩９が収容容器３から脱落するのを防止することが可能となる。
【００８０】
設置装置１は、図２に示すように、内部の水を抜く水抜き部Ｗが形成される収容容器３を備えることによって、収容容器３の内部に降り注いだ雨水等を滞留させることなく、収容容器３の外部に排出させることが可能となる。その結果、設置装置１は、収容容器３に収容された固形塩９が雨水等により融解するのを抑制することが可能となる。
【００８１】
設置装置１は、図３に示すように、水抜き部Ｗが形成される収容容器３を備え、特に、２枚の底板３１の下端にスリット３１ａが形成されるとともに、底板３１の下端部３１２に水抜き孔３１２ａが形成されることによって、収容容器３の内部に降り注いだ雨水がその下端に滞留するのを防止することが可能となり、収容容器３の外部に排出させることが可能となる。
【００８２】
また、設置装置１は、水抜き部Ｗが形成される収容容器３を備え、特に、底板３１の傾斜部分に水抜き孔３１０が形成されることによって、収容容器３の内部に降り注いだ雨水が下端に到達する前に、収容容器３の外部に排出させることが可能となる。
【００８３】
設置装置１は、図７及び図８に示すように、取付部材４に取り付けられる係止部材４９を備え、係止部材４９は、収容容器３を嵌め入れ可能に形成されて、収容容器３は、係止部材４９に係止される。
【００８４】
設置装置１は、特に、窪み部３１１が係止部材４９の底板係止部４９ａに線接触されて係止される。このため、設置装置１は、対象動物８が固形塩９を摂取したときや対象動物８や対象外動物７が収容容器３に接触したとき、平面視で底板係止部４９ａの延長方向に直交する方向に、収容容器３が支柱２から脱落するのを防止することが可能となるとともに、収容容器３が変形するのを防止することが可能となる。
【００８５】
また、設置装置１は、側板３３に側板係止部４９ｂが当接されている。このため、設置装置１は、対象動物８が固形塩９を摂取したときや対象動物８や対象外動物７が収容容器３に接触したとき、側板３３が側板係止部４９ｂに係止されることとなる。その結果、設置装置１は、平面視で底板係止部４９ａの延長方向に、収容容器３が支柱２から脱落するのを防止することが可能となるとともに、収容容器３が変形するのを防止することが可能となる。
【００８６】
設置装置１は、図７に示すように、ボルト５１とナット５２との締結させることによって、当接部４１３と、切欠部４２２ａ、４２３ａの間で支柱２に押圧力を作用させて、収容容器３を支柱２に取り付けることが可能となるものである。
【００８７】
また、設置装置１は、ボルト５１とナット５２との締結を緩めることによって、当接部４１３と、切欠部４２２ａ、４２３ａの間で支柱２に作用する押圧力を弱めることで、収容容器３を支柱２から取り外すことが可能となるものである。
【００８８】
即ち、取付部材４は、支柱２に着脱可能に取り付けられるものとなる。このため、設置装置１は、固形塩９を収容する収容容器３が取付部材４を介して、支柱２に対して高さ調整が可能に取り付けられるものとなる。
【００８９】
ここで、図９に示すように、対象動物８の成獣の肩高をＨ１としたとき、設置装置１は、収容容器３の高さを任意の対象動物８の成獣の肩高Ｈ１に合わせて設定することができる。換言すれば、設置装置１は、対象動物８の個体差によって制限されることなく、対象動物８が固形塩９を摂取しやすい高さに任意に設定することが可能となる。つまり、対象動物８が、例えば、エゾシカの場合には、Ｈ１を１．０ｍ程度に設定することや、エゾシカよりも比較的小型なホンシュウジカの場合には、例えば、Ｈ１を０．８ｍ程度に設定することが可能となる。
【００９０】
加えて、対象動物８ではない対象外動物７の成獣の肩高をＨ２としたとき、収容容器３の高さを対象外動物７の成獣の肩高Ｈ２よりも高くするように設定することが可能となる。これにより、設置装置１は、対象動物８以外の対象外動物７が固形塩９に容易に尿等によりマーキングされるのを防止することが可能となり、対象動物８が固形塩９を摂取するのを促すことが可能となる。その結果、固形塩９が設置された設置装置１の周囲に対象動物８を滞在させることが可能となる。
【００９１】
なお、ここでいう対象動物８ではない対象外動物７は、対象動物８よりも小型の野生動物が想定されており、例えば、ホンドギツネやキタキツネ等を指すものとする。つまり、対象動物８ではない対象外動物７が、例えば、キタキツネの場合には、Ｈ２を０．４ｍ程度として、収容容器３の設置高さをＨ２よりも高く設定することが可能となる。
【００９２】
また、収容容器３の高さを任意に設定できることによって、例えば、積雪や落ち葉等によって地面Ｇの高さが相対的に上昇したとき、その上昇した地面Ｇに合わせて、対象動物８にとって固形塩９を摂取しやすい最適な高さに再度設定することが可能となる。
【００９３】
設置装置１は、図１０に示すように、収容容器３が上方に向かうにつれて互いに拡がるようにして傾斜して形成された２枚の底板３１を有することによって、直方体形状の固形塩９を収容容器３に収容したときに、固形塩９の上面が山なりに配置されることとなる。
【００９４】
その結果、設置装置１は、対象動物８が固形塩９を摂取したときに、対象動物８の固形塩９を両側から摂取することが可能となる。即ち、設置装置１は、複数の対象動物８が同時に固形塩９を摂取することが可能となり、対象動物８を長時間（例えば、数時間程度）固形塩９付近に滞在させる効果をより有意に発揮することが可能となる。
【００９５】
加えて、設置装置１は、固形塩９の上面が山なりに配置されることによって、雨が降ったとき、固形塩９の上面に降り注いだ雨水が固形塩９の山なり形状に沿って流されるため、固形塩９の上面に雨水が滞留するのを防止することが可能となる。その結果、設置装置１は、こうした雨水によって固形塩９が融解されるのを防止することが可能となる。
【００９６】
本発明に係る設置装置は、図示は省略するが、固形塩の上方を覆う雨除け部材が支柱に取り付けられていてもよい。雨除け部材は、例えば、鋼材、樹脂等からなる板材で構成されるものとする。かかる場合には、直接固形塩に雨水が降り注がれるのを防止することが可能となり、その結果、固形塩が融解されるのを防止することが可能となる。なお、この雨除け部材は、その取付位置が支柱に限定されるものではなく、本発明に係る設置装置を構成する、例えば、収容容器、係止部材等に取り付けられるものであってもよい。
【００９７】
図１１は、本発明を適用した設置装置１の代替例を示す平面図である。
【００９８】
かかる場合には、特に、取付部材４が、平面視でＵ字形状のＵ型ボルト４０１と、ナット４０２と、添接板６とで構成される。かかる場合には、側板３２の孔３２０にＵ型ボルト４０１を挿通させ、側板３２とＵ型ボルト４０１とを、支柱２に当接させて、Ｕ型ボルト４０１の軸先端にナット４０２を螺着させている。なお、ナット４０２と側板３２との間には、添接板６が介装されている。
【００９９】
かかる場合において、Ｕ型ボルト４０１とナット４０２とを締結したとき、側板３２とＵ型ボルト４０１との間に支柱２に対して押圧力が作用することとなる。その結果、収容容器３は、支柱２に取り付けられるものとなる。また、Ｕ型ボルト４０１とナット４０２との締結を緩めることで、収容容器３を支柱２から取り外すことが可能となる。このように、取付部材４は、支柱２に着脱可能に取り付けられるものとなる。なお、このＵ型ボルト４０１は、複数用いられることによって、収容容器３を支柱２に取り付けてもよい。
【０１００】
このような構成からなる設置装置１は、支柱２に取り付けられる取付部材４の位置を適宜設定することによって、収容容器３の高さを任意に設定することが可能となる。
【０１０１】
図１２は、本発明を適用した設置装置１の他の代替例を示す断面図である。
【０１０２】
かかる場合には、特に、支柱２が、その側面に間隔を空けて複数の貫通孔２ａを有し、取付部材４が、ボルト４０３と、ナット４０４と、添接板６とで構成される。かかる場合には、側板３２の孔３２０と支柱２の貫通孔２ａとを位置合わせした上で、孔３２０と貫通孔２ａとにボルト４０３を挿通させ、ボルト４０３の軸先端にナット４０２を螺着させている。なお、ボルト４０３の頭と側板３２との間には、添接板６が介装されている。
【０１０３】
かかる場合において、ボルト４０３とナット４０４とを締結したとき、側板３２とナット４０４との間に支柱２に対して押圧力が作用することとなる。その結果、収容容器３は、支柱２に取り付けられるものとなる。また、ボルト４０３とナット４０４との締結を緩めることで、収容容器３を支柱２から取り外すことが可能となる。このように、取付部材４は、支柱２に着脱可能に取り付けられるものとなる。
【０１０４】
このような構成からなる設置装置１は、収容容器３の孔３２０に位置合わせされる支柱２の貫通孔２ａの位置を適宜設定することによって、収容容器３の高さを任意に設定することが可能となる。
【０１０５】
次に、本発明の第２実施形態に係る野生動物用固形塩設置装置１０について説明する。なお、第１実施形態に係る野生動物用固形塩設置装置１とは、各部材の機能等は殆ど同一であり、各部材の具体的構成が相違するだけなので、相違する点を中心に説明し、同一構成は同一符号を付し、同一名の部材の機能等の説明は省略する。
【０１０６】
図１３は、本発明の第２実施形態に係る野生動物用固形塩設置装置１０の斜視図である。また、図１４は、その平面図である。
【０１０７】
設置装置１０は、支柱２０と、支柱２０に取り付けられて固形塩９を収容する一部が開放された収容容器３０と、支柱２０に着脱可能に取り付けられて、収容容器３０に取り付けられる取付部材４５とを備える。
【０１０８】
支柱２０は、鋼材で構成されて、平面視でＬ字状に形成される２つのＬ型アングル材２１で構成される。
【０１０９】
Ｌ型アングル材２１は、上下方向に向けて延長されて、その下側が地面Ｇに埋設されている。Ｌ型アングル材２１は、上下方向に間隔を空けて複数の孔２２ａが形成されるウェブ部２２と、ウェブ部２２の側端に設けられるフランジ部２３を有する。
【０１１０】
２つのＬ型アングル材２１は、互いのウェブ部２２を対向させるとともに、互いに間隔を空けて地面Ｇに設けられる。
【０１１１】
収容容器３０は、平面視で長方形状の底板３５と、孔３６ａが形成されて底板３５の長手方向の両端から上方に向けて延長された２枚の側板３６と、２枚の側板３６を互いに連結する面板３７とで構成される。この収容容器３０は、上部が開放されるものとなる。この面板３７は、底板３５の短手方向の両端から上方に向けて延長される。なお、収容容器３０は、鋼材で構成されるものとするが、樹脂等で構成されてもよく、その材質は如何なるものであってもよい。
【０１１２】
また、収容容器３０は、内部の水を抜く水抜き部３０ａが底板３５に形成される。この水抜き部３０ａは、円形状に複数に形成されるものとするが、その形状は如何なる形状であってもよい。この水抜き部３０ａは、複数設けられるものとするが、単数で設けられるものであってもよい。
【０１１３】
取付部材４５は、ボルト４６と、ナット４７とで構成される。
【０１１４】
設置装置１０は、支柱２０の孔２２ａと、側板３６の孔３６ａとを位置合わせした上で、ボルト４６をそれぞれ挿通させて、各ボルト４６の軸先端にはそれぞれナット４７を螺着させる。このようにして設置装置１０は、収容容器３０が取付部材４５を介して支柱２０に取り付けられるものとなる。
【０１１５】
設置装置１０は、ウェブ部２２に上下方向に間隔を空けて複数の孔２２ａが形成されていることによって、複数の孔２２ａを適宜選択することによって、収容容器３０の設置高さを調整することが可能となる。
【０１１６】
また、設置装置１０は、水抜き部３０ａが形成される収容容器３０を備えることによって、収容容器３０の内部に雨水を滞留させることなく、収容容器３０の外部に排出させることが可能となる。
【０１１７】
次に、本発明の第３実施形態に係る野生動物用固形塩設置装置１００について説明する。なお、第１実施形態に係る野生動物用固形塩設置装置１とは、各部材の機能等は殆ど同一であり、各部材の具体的構成が相違するだけなので、相違する点を中心に説明し、同一構成は同一符号を付し、同一名の部材の機能等の説明は省略する。
【０１１８】
図１５は、本発明の第３実施形態に係る野生動物用固形塩設置装置１００の斜視図である。また、図１６は、挿通部材４００と、支持部材４９０とを示す平面図である。また、図１７は、本発明の第３実施形態に係る野生動物用固形塩設置装置１００の側面図である。
【０１１９】
設置装置１００は、支柱２５と、支柱２５に取り付けられて固形塩９を収容する一部が開放された収容容器３００と、支柱２５に着脱可能に取り付けられて、収容容器３００に取り付けられる取付部材５５と、取付部材５５に取り付けられる支持部材４９０とを備える。
【０１２０】
支柱２５は、上下方向に向けて延長されて、その下側が地面Ｇに埋設されている。支柱２５は、鋼材で構成されて、円筒状に形成されている。支柱２５は、その側面に上下方向に間隔を空けて複数の貫通孔２５ａが形成されている。この支柱２５は、鋼材で構成されるものとするが、その材質は如何なるものであってもよい。
【０１２１】
収容容器３００は、内部の水を抜く複数の水抜き部３００ａが形成された平面視で長方形状の底板３０１と、底板３０１の周縁から上方に向けて延長された角筒状の板材からなる筒状体３０２とで構成される。収容容器３００は、鋼材で構成されるものとするが、その材質は特に限定されない。この収容容器３００は、上部が開放されるものとなる。また、底板３０１と、筒状体３０２とは、その平面視での形状は、如何なる形状で形成されるものであってもよい。
【０１２２】
取付部材５５は、筒状に形成される挿通部材４００と、挿通部材４００と支柱２５とをボルト５０１とナット５０２とにより締結する締結部材５００と、を有する。
【０１２３】
挿通部材４００は、図１６（ａ）及び（ｂ）に示すように、その外形が平面視でＵ字形状に形成されている。また、挿通部材４００は、上下方向に向けて貫通された断面円形状の挿通部４００ａと、挿通部材４００の側面を水平方向に向けて貫通させた貫通孔４００ｂとが形成されている。この挿通部４００ａは、平面視で円形状に形成されて、支柱２５を挿通可能に構成される。この挿通部材４００は、鋼材で構成されるものとするが、その材質は如何なるものであってもよい。
【０１２４】
支持部材４９０は、収容容器３００に下側から接触させて支持可能とされている。支持部材４９０は、その上端が底板３０１に溶接により固定される。支持部材４９０は、挿通部材４００に取り付けられる支持面板４９１と、支持面板４９１に設けられる２つの支持側板４９２とで構成される。支持面板４９１は、面内方向が鉛直方向に向けて延長された長方形状に形成されている。支持側板４９２は、支持面板４９１の長手方向の両端から支持面板４９１に対して直交するように延長されている。また、支持側板４９２は、支持面板４９１の長手方向に沿った鉛直断面形状が三角形状となっている。
【０１２５】
設置装置１００は、図１７に示すように、挿通部材４００を支柱２５に挿通させて、支柱２５の貫通孔２５ａと、挿通部材４００の貫通孔４００ｂとを位置合わせして上で、ボルト５０１を挿通させて、ボルト５０１の軸先端にはナット５０２を螺着させる。
【０１２６】
また、設置装置１００は、収容容器３００の底板３０１が支持面板４９１及び支持側板４９２に下方から支持される。また、設置装置１００は、収容容器３００の筒状体３０２が挿通部材４００に溶接により取り付けられている。
【０１２７】
このような構成からなる設置装置１００は、支柱２５の貫通孔２５ａに位置合わせされる挿通部材４００の貫通孔４００ｂの位置を適宜設定することによって、挿通部材４００に固定された収容容器３の高さを任意に設定することが可能となる。
【０１２８】
また、設置装置１００は、ある程度の重量（例えば５ｋｇ程度）からなる固形塩９を収容容器３００に収容したとき、収容容器３００が支柱２に対して水平方向に向けて張り出すような形態となっているため、収容容器３００及び取付部材５５にモーメントが作用することとなる。このとき、設置装置１００は、収容容器３００を支持する支持部材４９０を備え、特に支柱２５から水平方向に向けて張り出された底板３０１が支持側板４９２に下方から支持されることによって、収容容器３００が支柱２５から脱落するのを防止することが可能となる。
【０１２９】
また、設置装置１００は、水抜き部３００ａが形成される収容容器３００を備えることによって、収容容器３００の内部に雨水を滞留させることなく、収容容器３００の外側に排出させることが可能となる。
【０１３０】
次に、本発明の第４実施形態に係る野生動物用固形塩設置装置１１０について説明する。なお、第１実施形態に係る野生動物用固形塩設置装置１とは、各部材の機能等は殆ど同一であり、各部材の具体的構成が相違するだけなので、相違する点を中心に説明し、同一構成は同一符号を付し、同一名の部材の機能等の説明は省略する。
【０１３１】
図１８は、本発明の第４実施形態に係る野生動物用固形塩設置装置１１０の正面図である。
【０１３２】
設置装置１１０は、支柱２００と、支柱２００に取り付けられて固形塩９を収容する一部が開放された収容容器３０とを備える。
【０１３３】
支柱２００は、下側が地面Ｇに埋設されて上下方向に延長された下部柱２０１と、下部柱２０１と接続されて上下方向に延長された中間柱２０２と、中間柱２０２に接続されて上下方向に延長された上部柱２０３とを有する。支柱２００は、鋼材で構成されるが、その材質は特に限定されない。
【０１３４】
下部柱２０１は、円筒状に形成されており、上側に貫通孔２０１ａが形成される。下部柱２０１は、その円筒状に限らず、角筒状等で構成されるものであってもよい。
【０１３５】
中間柱２０２は、円筒状に形成されており、下側に貫通孔２０２ａが形成され、上側に貫通孔２０２ｂが形成される。中間柱２０２の内径は、下部柱２０１の外径よりも大きく形成される。そして、中間柱２０２は、下側の貫通孔２０２ａと、下部柱２０１の貫通孔２０１ａとが位置合わせされた上で、ボルト５３を挿通させ、ボルト５３の軸先端にナット５４を螺着させることにより、下部柱２０１に固定される。なお、中間柱２０２は、その円筒状に限らず、角筒状等で構成されるものであってもよい。
【０１３６】
上部柱２０３は、円筒状に形成されており、下側に貫通孔２０３ａが形成される。上部柱２０３の内径は、中間柱２０２の外径よりも大きく形成される。そして、上部柱２０３は、下側の貫通孔２０３ａと、中間柱２０２の上側の貫通孔２０２ｂとが位置合わせされた上で、ボルト５３を挿通させ、ボルト５３の軸先端にナット５４を螺着させることにより、中間柱２０２に固定される。なお、上部柱２０３は、その円筒状に限らず、角筒状等で構成されるものであってもよい。また、上部柱２０３の外径は、中間柱２０２の内径よりも小さく形成されていてもよい。かかる場合には、上部柱２０３が中間柱２０２の内部に挿通されるものとなる。
【０１３７】
また、上部柱２０３の上端に、収容容器３０が溶接により固定されている。なお、上部柱２０３と収容容器３０との固定は、溶接に限らず、例えば、互いをボルト接合等により接続されるものであってもよい。
【０１３８】
設置装置１１０は、下部柱２０１、中間柱２０２及び上部柱２０３をそれぞれ接続することによって、高さを調整することが可能となる。なお、本例においては、中間柱２０２が１本で構成されるものとしたが、中間柱２０２を複数本設けることによって、収容容器３の高さを適宜設定することが可能となる。
【０１３９】
次に、本発明の第５実施形態に係る野生動物用固形塩設置装置１５０について説明する。なお、第１実施形態に係る野生動物用固形塩設置装置１とは、各部材の機能等は殆ど同一であり、各部材の具体的構成が相違するだけなので、相違する点を中心に説明し、同一構成は同一符号を付し、同一名の部材の機能等の説明は省略する。
【０１４０】
図１９は、本発明の第５実施形態に係る野生動物用固形塩設置装置１５０の側面図である。
【０１４１】
設置装置１５０は、支柱２１０と、支柱２１０に取り付けられて固形塩９を収容する一部が開放された収容容器３０とを備える。
【０１４２】
支柱２１０は、下側が地面Ｇに埋設されて上下方向に延長された下部柱２０８と、下部柱２０８に接続されて上下方向に延長された上部柱２０９とを有する。支柱２１０は、鋼材で構成されるが、その材質は特に限定されない。
【０１４３】
下部柱２０８は、円筒状に形成されるものとするが、その円筒状に限らず、角筒状等で構成されるものであってもよい。
【０１４４】
上部柱２０９は、円筒状に形成される。上部柱２０９は、下部柱２０８にクランプ５９を介してクランプ接合されて固定される。なお、上部柱２０９は、その円筒状に限らず、角筒状等で構成されるものであってもよい。
【０１４５】
また、上部柱２０９の上端に、収容容器３０が溶接により固定されている。なお、上部柱２０９と収容容器３０との固定は、溶接に限らず、例えば、互いをボルト接合等により固定されるものであってもよい。
【０１４６】
設置装置１５０は、下部柱２０８とクランプ接合される上部柱２０９の接続位置を変えることによって、収容容器３０の設置高さを任意で設定することが可能となる。なお、本実施形態では、下部柱２０８と上部柱２０９とを互いにクランプ接合するものとしたが、下部柱と上部柱の間に単数、又は複数の中間柱を設けて、それぞれを互いにクランプ接合させるものであってもよい。
【０１４７】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【０１４８】
１、１０、１００、１１０、１５０        ：設置装置
２、２０、２５、２００、２１０          ：支柱
３、３０、３００                        ：収容容器
４、４５、５５                          ：取付部材
５、５００                              ：締結部材
６                                      ：添接板
７                                      ：対象外動物
８                                      ：対象動物
９                                      ：固形塩
３０ａ、３００ａ、Ｗ                    ：水抜き部
３１                                    ：底板
３１ａ                                  ：スリット
３２、３３                              ：側板
４１、４２                              ：挟持部材
５１                                    ：ボルト
５２                                    ：ナット
４９                                    ：係止部材
６１、３２０、４１０、４２０            ：孔
３１０                                  ：水抜き孔
３１１                                  ：窪み部
３１２                                  ：下端部
３１２ａ                                ：水抜き孔
３２１                                  ：切欠部
３３１                                  ：切欠部
４１１                                  ：取付部
４１２                                  ：側部
４１３                                  ：当接部
４１４                                  ：受け部
４２１                                  ：対向部
４２２                                  ：上部
４２２ａ                                ：切欠部
４２３                                  ：下部
４２３ａ                                ：切欠部
４９０                                  ：支持部材
Ｇ                                      ：地面
Ｈ１、Ｈ２                              ：肩高
【図１】
0006660214.tif 000002
【図２】
0006660214.tif 000003
【図３】
0006660214.tif 000004
【図４】
0006660214.tif 000005
【図５】
0006660214.tif 000006
【図６】
0006660214.tif 000007
【図７】
0006660214.tif 000008
【図８】
0006660214.tif 000009
【図９】
0006660214.tif 000010
【図１０】
0006660214.tif 000011
【図１１】
0006660214.tif 000012
【図１２】
0006660214.tif 000013
【図１３】
0006660214.tif 000014
【図１４】
0006660214.tif 000015
【図１５】
0006660214.tif 000016
【図１６】
0006660214.tif 000017
【図１７】
0006660214.tif 000018
【図１８】
0006660214.tif 000019
【図１９】
0006660214.tif 000020